(57)【要約】【課題】クリーンルームのためのファンアセンブリを提供する。【解決手段】ファンアセンブリは、床面（４）、２枚の対向する側壁（２ａ）、及び上方壁（２ｂ）により画定されるチャンバ（２）と、床面（４）に向けて前記チャンバ（２）に層流の気体を導入するための導入ユニット（１００）と、を備え、前記チャンバ（２）は導入ユニット（１００）により導入される気体が内部を包み込むように配置され、チャンバ（２）内の気体と液体のための、床面（４）に位置する搬送路（３）を更に備え、前記搬送路（３）は上方壁（５ｂ）及び２枚の対向する側壁（５ａ）により画定されるケース（５）によって覆われ、ケース（５）の側壁（５ａ）はそれぞれ、チャンバ（２）を搬送路（３）と連通させる貫通開口部（６）を備え、ケース（５）の前記対向する側壁（５ａ）はそれぞれ、チャンバ（２）の対向する側壁（２ａ）から離隔され配置される。【選択図】図１
2019525117.tif 000002
【特許請求の範囲】
【請求項１】
クリーンルームのためのファンアセンブリであって、前記ファンアセンブリは、
床面（４）と、２枚の対向する側壁（２ａ）と、上方壁（２ｂ）とによって画定されるチャンバ（２）と、
前記床面（４）に向けて、前記チャンバ（２）に層流の気体を導入するための、前記チャンバ（２）の上方壁（２ｂ）に配置される導入ユニット（１００）と、を備え、
前記チャンバ（２）は、前記導入ユニット（１００）により導入される前記気体により内部が包まれるように配置され、
前記ファンアセンブリはさらに、前記床面（４）に位置し前記チャンバ（２）内に存在する前記気体及び液体の搬送路（３）を備え、
前記搬送路（３）は、上方壁（５ｂ）と、２枚の対向する側壁（５ａ）とにより画定されるケース（５）によって覆われ、
前記ケース（５）の前記側壁（５ａ）のそれぞれは、前記チャンバ（２）を前記搬送路（３）と連通させる貫通開口部（６）を備え、
前記ケース（５）の前記対向する側壁（５ａ）はそれぞれ、前記チャンバ（２）の対向する側壁（２ａ）から離隔され配置されることを特徴とする、ファンアセンブリ。
【請求項２】
前記ケース（５）の対向する前記側壁（５ａ）は、互いに平行であることを特徴とする、請求項１記載のファンアセンブリ。
【請求項３】
前記ケース（５）は、前記チャンバ（２）の前記床面（４）の中心位置に配置されることを特徴とする、請求項１又は２記載のファンアセンブリ。
【請求項４】
前記搬送路（３）は、前記チャンバ（２）内の液体用排出口（７）を備えることを特徴とする、請求項１乃至３のいずれか一項記載のファンアセンブリ。
【請求項５】
前記床面（４）は、前記チャンバ（２）の前記側壁（２ａ）ぞれぞれから前記搬送路（３）の方に傾斜することを特徴とする、請求項１乃至４のいずれか一項記載のファンアセンブリ。
【請求項６】
前記ケース（５）から前記気体を排出する吸引機構を更に備えることを特徴とする、請求項１乃至５のいずれか一項記載のファンアセンブリ。
【請求項７】
前記ケース（５）は、前記開口部（６）に、前記気体は通過させ、異物は通過させない少なくとも１つの格子（８）を備えることを特徴とする、請求項１乃至６のいずれか一項記載のファンアセンブリ。
【請求項８】
前記搬送路（３）は、前記液体を収集するための長手方向の排出ダクト（９）を備えることを特徴とする、請求項１乃至７のいずれか一項記載のファンアセンブリ。
【請求項９】
前記排出口（７）は、前記長手方向の排出ダクト（９）の下部に位置されることを特徴とする、請求項１乃至８のいずれか一項記載のファンアセンブリ。
【請求項１０】
前記搬送路（３）は、前記吸引機構への連結ダクト（１１）のための通路（１０）を備え、
前記通路（１０）は前記搬送路（３）の側壁に位置することを特徴とする、請求項１乃至９のいずれか一項記載のファンアセンブリ。
【請求項１１】
前記液体が前記排出口（７）から流出するのを促進するために、前記長手方向の排出ダクト（９）は、前記排出口（７）の方へ傾斜することを特徴とする、請求項１乃至１０のいずれか一項記載のファンアセンブリ。
【請求項１２】
層流の前記気体の前記導入ユニット（１００）は、ファン圧縮器（１４）と、前記ファン圧縮器（１４）の下流に接続されるパイプ（１５）と、前記チャンバ（２）の前記上方壁（２ｂ）に位置する複数の排出ノズル（１２）と、を備えることを特徴とする、請求項１乃至１１のいずれか一項記載のファンアセンブリ。
【請求項１３】
前記導入ユニット（１００）と、前記導入ユニット（１００）により導入される前記気体を濾過するためのチャンバ（２）との間に配置されるフィルタ（１３）を備えることを特徴とする、請求項１乃至１２のいずれか一項記載のファンアセンブリ。
【発明の詳細な説明】
【技術分野】
【０００１】
本発明は、クリーンルームのためのファンアセンブリを対象とする。
【背景技術】
【０００２】
製薬業界で行われる多くの製造工程は必ず、クリーンルーム空間、もしくは浮遊微粒子（パーティクル）の濃度が所定の限度（清浄度）内に制御されるチャンバ内で実行されなければならないことが知られている。
【０００３】
この目的に向けた頼みの綱は、そのチャンバ内における通常の上下方向の気体の層流を分配することであり、運搬又は加工ラインは、この層流に包み込まれる。
【０００４】
この流れによって、処理対象の殺菌した材料から微粒子が除去される。そして、これらの微粒子は吸引ユニットにより捕らえられ、吸引ユニットは、これらの微粒子を含む気体をチャンバの外側に排出する。
【０００５】
一般的に、この１つの吸引ユニットは、チャンバの側壁に画定される吸引ダクトを備える。
【０００６】
米国特許第４８３２７１７号には、チャンバの側壁に作られた貫通穴を空気が通過し、一側面のみから排出が行われる「クリーンエアキャビネット」について記載されている。
【０００７】
吸引ダクトを横側に配置することにより生じる制限は、効果的に微粒子を除去するのを妨げる乱流が発生する場合があるということである。
【０００８】
また、吸引ユニットそれぞれにつながっている吸引穴を備えた、床（床面）の使用も公知である。
【０００９】
この種の床材を使用する大きな欠点の１つは、微粒子を含む気体をチャンバの外側へ確実に排出するためには、床材全体に亘り一様に分散した吸引が必要であるということである。
【００１０】
さらに、各種デバイス又は処理対象の生産物を消毒するために用いられる洗浄及び殺菌流体が異物を運んできてしまい、床材の孔が塞がってしまうことがある。
【００１１】
従っていずれの解決策でも、微粒子を完全に除去し、その濃度の維持を所定の限度（清浄度）内で保証することはできない。
【先行技術文献】
【特許文献】
【００１２】
【特許文献１】米国特許第４８３２７１７号
【発明の概要】
【発明が解決しようとする課題】
【００１３】
本発明の主な目的は、クリーンルーム（クリーン空間）のためのファンアセンブリ（システム）を提案することによって上記課題を解決することである。前記ファンアセンブリは、気体をチャンバの外側へ効果的に排出させるのに適しているので、浮遊微粒子の濃度を確実に所定の限度内に保つ。
【００１４】
この目的の背景において、本発明の目的の１つは、チャンバ内で循環する空気の流れに微視的乱流が発生するのを防止する、クリーンルームのためのファンアセンブリを提案することであり、微粒子を効果的に除去することが可能となる。
【００１５】
本発明の別の目的は、費用、比較的単純な実施例、及び安全な適用を含む、クリーンルームのためのファンアセンブリを提供することである。
【００１６】
この目標及び目的は、請求項１によるクリーンルームのためのファンアセンブリにより達成される。
【００１７】
本発明の更なる特徴及び効果は、添付の図面の非限定的な実施例として図示され、本発明によるクリーンルームのためのファンアセンブリの好適であるが、非排他的な実施例の説明から明らかとなる。
【図面の簡単な説明】
【００１８】
【図１】ファンアセンブリの不等角投影図である。
【図２】ファンアセンブリの側面図である。
【図３】平面ＩＩＩ―ＩＩＩにおける図２の断面図である。
【発明を実施するための形態】
【００１９】
個々の図において、クリーンルーム（クリーンベンチ）２のファンアセンブリ（換気システム）は、参照番号１で、全体的に示される。
【００２０】
製薬業界で行われる製造工程は実際のところ、必ず浮遊微粒子の濃度が所定の限度内に制御されるクリーンルーム空間、又はチャンバにおいて実行されなくてはならい。
【００２１】
この目的のためにアセンブリ１は、運搬ラインへ向けられた層状気流（層流）の導入（インレット）ユニット１００（チャンバ２の上方壁２ｂに配置される）、及び気体をチャンバ２から排出するための空気の吸引部材（吸引機構）（図示なし）を備える。
【００２２】
チャンバ２は、床面４と、２枚の対向する側壁２ａと、上方壁２ｂとによって画定される。
【００２３】
本発明によればアセンブリ１は、運搬ラインでチャンバ２の床面４上、好適には実質的に中心位置に、チャンバ２に存在する気体及び液体のための少なくとも１本の搬送路（輸送路）３を備える。
【００２４】
この搬送路３はケース（ケーシング）５に覆われている。このケース５は、上方壁５ｂと、２枚の対向する側壁５ａにより画定される。ケース５の側壁５ａはそれぞれ、チャンバ２を搬送路３と連通させる貫通穴６を備える。ケース５の対向する側壁５ａはそれぞれ、チャンバ２の対向する側壁２ａから離隔され配置される。
【００２５】
この搬送路３は、チャンバ２の吸引部材ともつながっている。
【００２６】
導入ユニットにより分配された気体は、その後開口部６を通過する。そしてこの気体は吸引部材によって取り出される。
【００２７】
この配置では、微視的乱流（マイクロタービュランス）が発生することなく、確実に層状気流（層流）がチャンバ２を循環できるので極めて有利である。そして、チャンバ２内に滞留する可能性のある空気中に浮遊する微粒子又は汚染物質及び、そこに含まれる成分がチャンバ２から排出されるようにする。
【００２８】
特に実用的かつ有用な１つの解決案によれば、搬送路３は、チャンバ２内部に存在する液体のための排出口７を備えることができる。
【００２９】
塵及び残留物を完全に除去するため、チャンバ２及びそこに含まれる構成要素に対して洗浄及び消毒操作を行うことが可能である。
【００３０】
洗浄液及び殺菌流体はそれから、排出口７を介してチャンバ２の外側へ順に排出されるよう、搬送路３の方へ運ばれる。
【００３１】
例えば洗浄及び殺菌流体は好適には、水、水蒸気、過酸化水素、過酸化水素蒸気、溶媒、溶剤蒸気、オゾン含有ガス混合物、液体混合物、ガス混合物等から選択されることができる。
【００３２】
液体が搬送路３の開口６を介して流出するのを更に促進するため、床面４はチャンバ２の各側壁２ａから搬送路３の方へ傾斜していてもよい。
【００３３】
さらに、前記ケース５は開口部６に、気体は通過させ、異物は通過させないようにするのに適した少なくとも１つの格子８を備えることができる。
【００３４】
また、液体を収集するため、搬送路３の下部に長手方向に排出ダクト９を備えることができることを明記すべきである。そしてこの長手方向の排出ダクト９の下部に排出口７を配置することができる。
【００３５】
さらに、搬送路３が吸引部材へのそれぞれの連結ダクト１１のための通路１０を備える可能性は排除されない。
【００３６】
この通路１０は、搬送路３の側壁に画定されることができる。
【００３７】
従って、排出ダクト９があるおかげで液体は通路１０より低い位置で運ばれるので、液体が空気吸引ユニットを介して排出される可能性は、更に防止される。
【００３８】
実際、液体は重力のため、搬送ダクト（路）３の底部に、そして具体的には長手方向の排出ダクト９に溜まる傾向がある。
【００３９】
（連結）ダクト１１が、チャンバ２の床材４の下に配置される第１部分と、チャンバ２自体の側壁２ａに沿った第２部分とを有してもよい。
【００４０】
液体が排出口７から流出するのを更に促進するため、長手方向の排出ダクト９は、排出口７の方に傾斜していてもよい。
【００４１】
層状気流（層流）の導入ユニット１００が、ファン圧縮器１４、圧縮器１４の下流に接続されるパイプ１５、及び運搬ラインを覆う複数の分配ノズル１２を備える点に留意する必要がある。ノズルは、チャンバ２の上方壁２ｂに配置される。
【００４２】
このようにして、全運搬ライン及びその上に存在するそれぞれの製造物に沿って流れる下方への層状気流（層流）を生成することができる。
【００４３】
好適には、導入の装置（ユニット）によって導入される気体は、適切なフィルタ１３で予防的に濾過される空気であることが示される。
気体がチャンバ２に到達する前に、導入ユニット１００により導入される気体を濾過するために、フィルタ１３が導入ユニット１００とチャンバ２の間に配置される。
特定の応用への必要性により不活性ガスや窒素等といった他のタイプの気体を使用することも排除されない。
【００４４】
有利には、チャンバ２の外側に気体を排出させるのに適した、クリーンルーム２のためのファンアセンブリ（換気システム）１を提案することによって、本発明は上述した課題を解決する。そして、浮遊微粒子の濃度を所定の限度内に保つ。
【００４５】
好適にはクリーンルーム２のためのファンアセンブリ１は、微粒子を効果的に排除できるチャンバ２内部において、循環する空気の流れの中に微視的乱流が発生するのを防止する。
【００４６】
このように考案される本発明には、多くの変更及び変形例が可能である。そして、その全ては本発明の概念に一致する。さらに、詳細すべては他の技術的に等価な要素と置き換えることが可能である。
【００４７】
図示される実施例において、特定の実施例と関連して説明される個々の特性は、他の実施例に存在する他の異なる特性と実際に置き換えることが可能である。
【００４８】
実際には、どのような材料も、どのような大きさであっても、要件及び従来技術に従って用いることができる。
【図１】
2019525117.tif 000003
【図２】
2019525117.tif 000004
【図３】
2019525117.tif 000005
【国際調査報告】
2019525117.tif 000006
2019525117.tif 000007
2019525117.tif 000008